(57)【要約】      （修正有）【課題】束の落ち込みが防止された卓上型ペーパータオル用ディスペンサーを提供する。【解決手段】ペーパータオル束１を内部に収納するケース本体１０と、ケース本体１０内でペーパータオル束１を押さえる押え材３０と、を有し、ケース本体１０が、前傾に傾斜する前板部１１と、背面側から前面側に向って下り傾斜し前板部１１に連接する内底面と、前板部１１に設けられたペーパータオルを引き出すための取出口１６と、を有し、前板部１１の内底面との連接部近傍に載置部３１が通る通孔１１Ｂが形成され、取出口１６からのペーパータオルの引出しに伴うペーパータオル束１の厚みの低下に伴って、押え材３０が内底面上を移動するとともに載置部３１が通孔１１Ｂを通ってケース本体１０外に突出され、かつ、押え材３０の移動によって押え部３２によるペーパータオル束の背面側面に対する押接状態が維持される。【選択図】図１
2019058327.tif 000002
【特許請求の範囲】
【請求項１】
複数の二つ折りされた方形のペーパータオルを、折り返し片の縁が隣接するペーパータオルの折り返し内面に位置するようにして互い違いに重なり合うように積層した、略直六面体形状のペーパータオル束を内部に収納するケース本体と、
ケース本体内でペーパータオル束を押さえる押え材と、を有し、
前記ケース本体が、前傾に傾斜する前板部と、背面側から前面側に向って下り傾斜し前記前板部に連接する内底面と、前記前板部に設けられたペーパータオルを引き出すための取出口と、を有し、
前記押え材が、ケース本体内部のペーパータオル束の折り返し縁が並ぶ面が載置されかつ前記内底面上を移動可能な載置部と、前記載置部に載置されたペーパータオル束の背面側面を押さえる押え部と、を有し、
前記前板部の内底面との連接部近傍に前記載置部が通る通孔が形成され、前記取出口からのペーパータオルの引出しに伴うペーパータオル束の厚みの低下に伴って、前記押え材が前記内底面上を移動するとともに前記載置部が前記通孔を通ってケース本体外に突出され、かつ、その押え材の移動によって押え部による前記ペーパータオル束の背面側面に対する押接状態が維持される、
ことを特徴とする卓上型ペーパータオル用ディスペンサー。
【請求項２】
前記押え部は、ペーパータオル束の背面側面の周縁部において、ペーパータオル束に接する形状である、請求項１記載の卓上型ペーパータオル用ディスペンサー。
【発明の詳細な説明】
【技術分野】
【０００１】
本発明は、ペーパータオルを折り畳み積層した束を収納し、取出口から１枚ずつ取り出すペーパータオルディスペンサーに関し、特に卓上型のペーパータオル用ディスペンサーに関する。
【背景技術】
【０００２】
キッチンペーパー、清拭用ワイプ等の所謂ペーパータオルと称されるもののディスペンサーの多くは、束を収納する本体の背面を適宜の手段により壁に対面させて設置し、底部に設けた取出口からペーパータオルを引き出して使用する形態であるが（特許文献１〜３等）、中には据え置き型、卓上型のものも知られる（特許文献４〜６等）。
【０００３】
特許文献１〜３に示されるような本体の背面を介して壁に設置するタイプのディスペンサーは、比較的大型であり設置態様も限定されることから、設置スペースや設置場所を確保することが困難な飲食店、惣菜店、スーパーマーケットの厨房や一般家庭で使用するには不向きであり、そのような処では、引用文献４〜６に示す据え置き型の物が適する。
【０００４】
しかし、引用文献４のような上面に取出口を有する構造のディスペンサーは、濡れた手でペーパータオルを引き出す際に、内部の束を汚染するおそれがあり、また、上面の取出口から埃、塵が内部に進入するおそれがある。
【０００５】
他方、引用文献５や引用文献６に示される構造のディスペンサーは、取出口が下方に向っているため取出口から水や埃が進入することが防止されているが、引用文献５の構造は、図１２に示すように、内部に収納されたペーパータオル１０１の枚数が特に少なくなってきた際に、ペーパータオル束１０１がディスペンサーＸ１００のケース本体１１０内において点線Ｚで示すように前板内面１１１Ａ及び載置面１１２Ａに沿って滑り落ち折れ曲がって下部に溜まり、取出口１１６から露出されるべきペーパータオルの一部までもが本体内部に落ち込み、好適な引出し操作を行なうことが困難となるおそれがある。引用文献６に示されるディスペンサーは、束の背面側に押え板が設けられており、束を構成するペーパータオルの枚数が少なくなった際に束が倒れることが少ないが、束の厚み変化に応じてスムーズに押え板が移動せずに、束や抑え板が内部で倒れる現象がみられることがあった。また、束の残数が僅かになった際に、押え板による押圧が過度になり、押え板とケース本体の前面部分を構成する前板部との間に束が過度に挟持されて束から一枚がスムーズに引き出せない場合があった。また、引用文献５や引用文献６の構造のディスペンサーは、筐体を不透明な素材とすると本体内部に納めたペーパータオル束１０１の残量が視認できないという問題があった。
【先行技術文献】
【特許文献】
【０００６】
【特許文献１】特開平０６−１４４４４８号公報
【特許文献２】特開２００６−２０４４０４号公報
【特許文献３】特開２００１−８７１６１号公報
【特許文献４】特開２００７−１５３４３９号公報
【特許文献５】特開２０１０−７６８１１号公報
【特許文献６】特開２０１３−１３５７７２号公報
【発明の概要】
【発明が解決しようとする課題】
【０００７】
そこで、本発明の主たる課題は、飲食店、惣菜店、スーパーマーケットにおける厨房や、家庭内等のスペースの限られる場所でも好適に使用できる卓上型のペーパータオル用ディスペンサーにおける、取り出し性やペーパータオル束のケース本体内への落ち込み等の問題、内部のペーパータオル束の残量等の確認の問題を改善し、衛生的かつ簡易に使用できる卓上型ペーパータオル用ディスペンサーを提供することにある。
【課題を解決するための手段】
【０００８】
上記課題を解決した本発明は次記のとおりである。
【０００９】
＜請求項１記載の発明＞
複数の二つ折りされた方形のペーパータオルを、折り返し片の縁が隣接するペーパータオルの折り返し内面に位置するようにして互い違いに重なり合うように積層した、略直六面体形状のペーパータオル束を内部に収納するケース本体と、
ケース本体内でペーパータオル束を押さえる押え材と、を有し、
前記ケース本体が、前傾に傾斜する前板部と、背面側から前面側に向って下り傾斜し前記前板部に連接する内底面と、前記前板部に設けられたペーパータオルを引き出すための取出口と、を有し、
前記押え材が、ケース本体内部のペーパータオル束の折り返し縁が並ぶ面が載置されかつ前記内底面上を移動可能な載置部と、前記載置部に載置されたペーパータオル束の背面側面を押さえる押え部と、を有し、
前記前板部の内底面との連接部近傍に前記載置部が通る通孔が形成され、前記取出口からのペーパータオルの引出しに伴うペーパータオル束の厚みの低下に伴って、前記押え材が前記内底面上を移動するとともに前記載置部が前記通孔を通ってケース本体外に突出され、かつ、その押え材の移動によって押え部による前記ペーパータオル束の背面側面に対する押接状態が維持される、
ことを特徴とする卓上型ペーパータオル用ディスペンサー。
【００１０】
＜請求項２記載の発明＞
前記押え部は、ペーパータオル束の背面側面の周縁部において、ペーパータオル束に接する形状である、請求項１記載の卓上型ペーパータオル用ディスペンサー。
【００１１】
（作用効果）
本発明では、ケース本体の前面を構成する前板部を前傾として、そこに取出口を設けたため、取出口が手前側斜め下方に向って開口することになり、もって取出口から埃や塵が入り難い。また、本発明では、取出口が手前側斜め下方に向いているため、そこから露出されたペーパータオルの一部が、下方に垂れ下がる態様となる。したがって、手でペーパータオルを引き出す操作を行なう際には、取出口より下方からペーパータオルを掴むことになるため、濡れたり汚れたりした手でペーパータオルを引き出す操作を行なっても、手に付着した水や汚れが落下して取出口からケース本体に進入することがなく、ケース本体内のペーパータオル束を水や汚れで汚染することがなく、衛生的に使用できる。
【００１２】
さらに、本発明では、押え材が、ケース本体内部のペーパータオル束の折り返し縁が並ぶ面が載置されかつ前記内底面上を移動可能な載置部と、前記載置部に載置されたペーパータオル束の背面側面を押さえる押え部と、を有し、前記取出口からのペーパータオルの引出しに伴うペーパータオル束の厚みの低下に伴って、前記押え材が前記ケース本体内を前後方向に移動するとともに、その押え材の移動によって押え部による前記ペーパータオル束の背面側面に対する押接状態が維持されるようになっている。
【００１３】
つまり、本発明は、ペーパータオル束が、載置部に載った状態で、常に前板部の内面と押え部とに挟まれた状態となり、束がケース本体内で倒れることなく、その引出し側面が前板部の内面に常に当接した状態となり、取出口からペーパータオルを引き出しやすい。また、特に、本発明では束がケース本体の内底面に直接に載っているのではなく、押え材の載置部に載っているため取出口からペーパータオルを引き出す際に、ペーパータオル束が前板部に非常に引き寄せられやすく、ケース本体の背面側に位置するペーパータオル束末部のペーパータオルまで良好に引出し操作が行いやすくなる。
【００１４】
さらに、本発明では、前板部の内底面との連接部近傍に前記載置部が通る通孔が形成され、取出口からのペーパータオルの引出しに伴うペーパータオル束の厚みの低下に伴って前記載置部が前記通孔を通ってケース本体内から突出される。したがって、載置部の突出長によって、ケース本体内部のペーパータオル束の残量を目視にて確認でき、もってペーパータオルの補充時期を適切に知ることができる。
【００１５】
また、押え部が、ペーパータオル束の背面側面の周縁部において、ペーパータオル束に接する形状とすると、周縁部が確実に支持されて束のケース本体内での倒れが防止される。さらに、中央部がくり抜かれた形状の場合には、束背面側への荷重が少なく引き出しがスムーズとなる。特に、束を構成するペーパータオルの枚数が少なくなり、束の厚みが薄くなった場合に顕著になる。
【発明の効果】
【００１６】
以上の本発明によれば、飲食店、惣菜店、スーパーマーケットにおける厨房や、家庭内等のスペースの限られる場所でも好適に使用できる卓上型のペーパータオル用ディスペンサーにおける、取り出し性やペーパータオル束のケース本体内への落ち込み等の問題、内部のペーパータオル束の視認性の問題を改善し、衛生的かつ簡易に使用できる卓上型ペーパータオル用ディスペンサーが提供される。
【図面の簡単な説明】
【００１７】
【図１】本発明に係る卓上型ペーパータオル用ディスペンサーの斜視図である。
【図２】本発明に係る卓上型ペーパータオル用ディスペンサーの正面図である。
【図３】図２のＡ-Ａ断面の模式図である。
【図４】本発明に係る卓上型ペーパータオル用ディスペンサーの他の例を示す模式断面図である
【図５】本発明に係る卓上型ペーパータオル用ディスペンサーの他の例の開口時を示す模式断面図である
【図６】本発明に係る卓上型ペーパータオル用ディスペンサーの別の例を示す模式断面図である
【図７】本発明に係る押え材を示す斜視図である。
【図８】本発明に係る押え材の他の例を示す斜視図である。
【図９】本発明に係る卓上型ペーパータオル用ディスペンサーの他の斜視図である。
【図１０】本発明に係る卓上型ペーパータオル用ディスペンサーの他の形態の斜視図である。
【図１１】本発明に係る卓上型ペーパータオル用ディスペンサーの台座部の例を示す図である。
【図１２】従来のディスペンサーを示す断面図である。
【発明を実施するための形態】
【００１８】
次いで、本発明の実施の形態を図１〜１１を参照しながら以下に詳述する。
【００１９】
本発明にかかるディスペンサーは、ペーパータオル束１を収納するケース本体１０を台座部２０により所定高さに支持し、キッチン台、洗面台、手洗い場台、作業台、床などに載置して使用する据え置き型、卓上型のペーパータオル用ディスペンサーＸ１である。
【００２０】
本発明の卓上型ペーパータオル用ディスペンサーＸ１（以下、単にディスペンサーＸ１ともいう）が対象とするペーパータオル束１は、坪量２０〜６０ｇ／ｍ2程度の一枚又は複数枚重ね一組である複数の方形のペーパータオルを実質的に二つ折りにし、各折り返し片の縁を上下に隣接するペーパータオルの折り返し内面に位置するようにして互い違いに重なり合うように積層し、積層最上部又は積層最下部の一枚又は複数枚重ね一組の折り返し片を引っ張ると、ペーパータオルが有する紙特有の摩擦等によって、隣接するペーパータオルの折り返し片がつられて引きだされるようにしたものである。このペーパータオル束１はインターフォルダと称される折り機によって一般的に製造され、積層に伴う若干のずれはあるものの概ね直方体形状をなす。なお、本発明においては、上記ペーパータオルが引き出されていくことになるペーパータオル束１（以下、単に束ともいう）の積層最上面或いは積層最下面の何れかの面を引出し側面１Ａと称する。
【００２１】
ディスペンサーＸ１は、ケース本体１０が、前板部１１、底板部１２、背板部１３、側板部１４及び天板部１５とで構成され、束１の大きさよりもやや大きい直方体の内部空間１０Ａを有し、外観も概ね直六面体形状の箱形形状をなしている。なお、本発明のディスペンサーＸ１は、図示例の外観に限定されず適宜の意匠とすることができる。但し、省スペース化の点で、上記のケース本体１０の構成が望ましく、以下、上述の各板部で構成される内部空間が直方体形状、外観が概ね直六面体形状とされているケース本体１０を基本に説明する。
【００２２】
本形態のディスペンサーＸ１は、上記構成のケース本体１０が、その前面を構成する前板部１１が前方に向って傾斜するようにして所定高さで台座部２０に固定され、それに応じて底板部１２が背板部側から前板部側に向って下り傾斜され、もって、前記底板部１２のケース本体内面である内底面１２Ａも背面側から前面側に向って下り傾斜しており、前記前板部１１に連接している。
【００２３】
本形態のディスペンサーＸ１の前板部１１は、幅Ｌ１が２１０〜２７０ｍｍ程度、高さ方向の長さＬ２が７０〜１４０ｍｍ程度であり、高さ方向の中央部に幅方向に延在する細長状に開口するペーパータオルの取出口１６が設けられている  ペーパータオルの取り出しは、この取出口１６から露出する前記ペーパータオルの一部を摘み、下方、前方又は前板部１１に対して直行する方向に引き出す操作により行なう。
【００２４】
ケース本体１０の背板部１３は、前記前板部１１との間にペーパータオルの束１が介在可能な適宜の間隔を空けて位置され、その間隔は、市販の束１の厚さ（高さ）を考慮すれば８０〜１５０ｍｍ程度である。なお、図示例では、ケース本体１０が直六面体形状であるため背板部１３は前板部１１と平行、すなわち傾斜しているが、背板部１３は、必ずしも傾斜している必要はなく、例えば、背板部１３が、垂直又は前板部１１よりも垂直に近い傾斜としてもよい。また、ディスペンサーＸ１は、特に図１〜図３に示す形態のように、背板部１３を、底板部１２や側板部１４に対してヒンジ部１９を介してヒンジ接続し、背板部１３を開閉自在な蓋体とするなどして、前記背板部１３を開いて、ケース本体内へ束１を納められるようにしてもよい。なお、図４及び図５に示す形態のように、背板部１３のみではなく、天板部１５と側板部１４の一部１４Ａと一体となった蓋部１５Ｘとして、側板部１４の他部１４Ｂにヒンジ部１９を設けて開閉自在とするようにしてもよい。なお、背板部１３，蓋部１５Ｘを開閉自在にするためのヒンジ部１９は、蝶番等の既知の技術により達成すればよく、本発明において特に限定されない。また、本実施形態のディスペンサーＸ１は、図６に示すように、背板部１３を設けずに、背面側開放としてもよい。
【００２５】
他方、ケース本体１０の天板部１５は、前記底板部１２との間にペーパータオルの束１が介在可能な適宜の間隔を空けて位置される。図示例では、天板部内面１５Ａと内底面１２Ａとが平行をなし、それらの間が束１の折り返し縁１Ｂ，１Ｃ間の長さより若干長い間隔となっており、ケース本体内に束を内包させた際に天板部内面１５Ａが束１の天板部側への移動を規制するように構成している。このようにすることで、束１の上下方向の自由な移動が規制され、よりケース本体内で束１が崩れたり、意図せず倒れたりし難くなる。
【００２６】
他方、側板部１４は、前板部１１と背板部１３の側部間に位置して、所定の間隔で配置されてケース本体内部に収めた束１の幅方向への移動を規制して、取出口１６からのスムーズなペーパータオルの取り出しに寄与するとともに、汚液・埃・塵などの汚れから束１００を保護する。側板部１４は、図１に示すように、前板部１１及び背板部１３の側縁から一体的に配置されていてもよいし、図４に示すように、二つの部材１４Ａ，１４Ｂで構成してもよい。但し、側板部１４は、束１を収納可能な内部空間１０Ａを確保できる範囲で、意匠等を考慮して適宜に構成することができる。
【００２７】
他方、本形態のディスペンサーＸ１では、特徴的に、ケース本体内１０Ａに収納された束１の折り返し縁が並ぶ面１Ｂが載置される載置部３１と、この載置部３１に載る束１の背面側面１Ｄを押さえる押え部３２とを有する押え材３０を備える。載置部３１は、直六面体形状の束１を安定的に載置可能な形状および構成であればよく、例えば、平板状、棒状等の形状であり、ケース本体内１０Ａの内底面１２Ａ上において前板部側から背板部側に向かう方向に延在するように配される。また、押え部３２は、例えば、前板部側から背面部側に向かう方向に延在する載置部３１の背板部側の縁３１Ｅ又はその近傍から立設するように形成され、載置部３１に載る束１の背面側面１Ｄに接触可能に形成される。押え部３２の形状は限定されないが、平板等、棒状などが挙げられる。なお、押え部３２は、載置部３１に対して固定される。図１に示すディスペンサーＸ１における押え材３０は、図７に示される形状のものであり、載置部３１が、ケース本体内１０Ａで各側板部１４，１４に沿って前板部側から背板部側に向かう方向に延在する二本の細長平板で構成され、押え部３２が、二本の細長平板の背板部側縁３１Ｅにこの縁３１Ｅから立設するように接着された、束１の背面側面１Ｄとほぼおなじ大きさかやや大きい直方体形状の一枚の平板であり、特に中央部くり抜かれて、載置部３１に載る束１の背面側面１Ｄうち周縁部のみに接触するよう構成されている。なお、押え材は図７に示される形状にかぎらず、図８に示されるように載置部３１が一つのものとしてもよい。本実施形態に係る押え材３０の形状は必ずしも限定されないが、図示例のように、平板を側面視で略Ｌ字型、又は略Ｔ字型に組み立て又は折り曲げて形成したものが簡易な構造であり製造容易という点で好ましい例として挙げられる。
【００２８】
他方、押え材３０は、載置部３１を介してケース本体内１０Ａの内底面１２Ａに置かれる等して配置され、ケース本体内１０Ａにおいて前後方向（図において前板部と背板部との間を結ぶ方向）に移動可能となっている。図示のディスペンサーＸ１は、押え材３０が、載置部３１を介してケース本体内１０Ａの内底面１２Ａに置かれて配置され、その内底面上及び載置部３１の内底面側がともに平滑で内底面１２Ａと載置部３１との摩擦が小さく、押え材３０の自重及び載置部３１上に束１が載った状態で、内底面１２Ａの傾斜によって押え材３０が前板部側に向かって滑動可能となっている。それとともに、前板部１１における内底面１２Ａとの連接部近傍に、前記載置部３２が通る通孔１１Ｂ，１１Ｂが形成されており、押え材３０の載置部３１が、前記通孔１１Ｂ，１１Ｂを通ってケース本体外へ突出するようにして内底面上を移動可能となっている。これによって、ディスペンサーＸ１は、押え材３０がケース本体内１０Ａにおいて前後方向に移動し、特に、押え部３２と前板部内面１１Ａとの間の距離が変化するようになっている。したがって、ディスペンサーＸ１においては、押え材３０の押え部３２と前板部内面１１Ａとの間に束１を位置させるようにして、束１を載置部３１上に載せてセットすると、取出口１６からのペーパータオルの引出しに伴って束の厚みが低下するにしたがって、前記押え材３０が内底面１２Ａ上を移動するとともに、載置部３１が通孔１１Ｂを通ってケース本体内から突出するようになる。その際、押え材３０の移動によって押え部３２による束１の背面側面１Ｄに対する押接状態が維持される。なお、通孔１１Ｂ，１１Ｂの形状は限定されないが、ペーパータオルが容易に通らない程度の大きさとする。もちろん、通孔１１Ｂの形状は、載置部３１の形状に応じたものとする。
【００２９】
本実施形態のディスペンサーＸ１では、載置部３１に束１が載る押え材３０が、束１の厚みの低下にともなってケース本体内１０Ａで移動し、その移動によって常に束１の背面側面１Ｄを押え部３２が抑える。すなわち、束１は、押え部３２と前板部内面１１Ａとの間において適度に挟まれた状態となる。さらに、内底面１２Ａに直接に束１が載置されるのではなく、束１が押え材３０の載置部３１に載るため、内底面１２Ａに対する載置部３１の移動のしやすさを簡易に調整でき、束１の厚みの低下にともなって束１を常に前板部側に効果的に寄せることができる。そして、このように束１が寄せられるため、取出口１６からスムーズに取り出すことが可能となる。また、押え部３２と載置部３１とが一体であるため押え部３０がケース本体内１０Ａで倒れることもない。なお、図示はしないが、押え材３０は、載置部３１にローラ等を設けるなどして、機械的手段によって内底面１２Ａ上をスムーズに移動するようにしてもよい。
【００３０】
さらに、ディスペンサーＸ１は、特に図９に示されるように、束１からペーパータオルが引き出されたケース本体内１０Ａにおける束の厚みが低下するにしたがって、前板部１１に形成された通孔１１Ｂ，１１Ｂから突出する載置部３１の突出長が長くなる。したがって、前板部１１から外部に突出する載置部３１の突出長さを視認可能にして外部から確認できるようにすることで、ケース本体を不透明な素材として外部から束が視認できないようになっていても束１の補充時期を確認することができる。なお、載置部３１の適宜の位置に補充確認用の目印をつけるなどしてもよい。
【００３１】
ここで、押え材３０が、内底面１２Ａ上を前板部側にスムーズに移動するように、内底面１２Ａや載置部３１の内底面側を平滑処理したり、滑剤を塗布するなどしてもよい。また、ガイドレール等を設けて滑りやすさを向上させてもよい。また、押え材３０の重量は、特に限定されないが、軽すぎると押え材としての効果が小さく、重すぎると束１の引出し側面１Ａと前板部内面１１Ａとの接触圧が高くなりすぎて、ペーパータオルの引出しが困難となる。好適な重量としては、３０〜８０ｇである。
【００３２】
また、押え部３２が、図７及び図８に示す形態のようにその中央部がくり抜かれ、束１の背面側面１Ｄの周縁部のみに接するようにすると、取出口１６からペーパータオルを引き出す際に、中央部の荷重が低下するためスムーズに引き出せるようになり望ましい（図中くり抜き部分は符号３３で示す）。
【００３３】
ここで、前板部１１の好適な傾斜具合は、ディスペンサーＸ１を水平面上に載置したときに、前記前板部１１の傾斜角∠Ａが水平面に対して３０〜７０度となるように構成するのがよい。また、前記載置部３１の傾斜角∠Ｂは、２０〜６０度であるのがよい。前板部１１の傾斜角∠Ａが３０度未満となるとペーパータオルを掴み難く作業台などの載置面に手がつきやすくなり、効果的にペーパータオルを引出し難くなることがあり、７０度を超えてくると束１の引出し側面１Ａが前板部内面に凭れ難くなる。また、載置部３１の傾斜角∠Ｂが２０度以上であると、取出口１６からのペーパータオルの引出しに伴って、押え材３０が内底面上を前板部側へスムーズに移動させやすい。なお、本発明に係る「傾斜」、「角度」は、水平面上にディスペンサーＸ１を置いたときを基準としている。
【００３４】
他方、取出口１６は、束１を載置部に載置した際に取出口近傍に束１を構成するペーパータオルの折り返し片が位置するようにするのがよい。また、必ずしも必要ではないが、図３に示す形態のように、取出口１６の上側縁及び下側縁に、前記前板部１１の内面から連続的に滑らかな円弧面１７Ｒ或いは曲面を介して前方（外方）に延出する延出部１７を設けると、前記円弧面１７Ｒ等に沿ってペーパータオルがよりスムーズに引き出されるようになる。延出部１７を設けるのであれば、前板部外面から１０ｍｍ程度、延出していればよい。さらに、取出口１６の幅方向中央に下方に向って矩形に欠損された凹部欠損部１８を形成すると、ペーパータオルの露出部分の中央部が摘みやすくなる。なお、凹部欠損部１８の形状は、この矩形に限らず、例えば半円、半楕円等としてもよい。
【００３５】
ここで、ケース本体１０の素材については、特に限定されないが、アクリル樹脂、ユリア樹脂、ＡＢＳ樹脂、ポリプロピレン樹脂等の合成樹脂素材、ステンレス材やアルミ材等の金属素材、段ボール紙やコートボール紙等の紙素材、木材等適宜の素材を選択することができる。特に好ましくは、耐水性、成型性に優れる合成樹脂素材である。
【００３６】
上記のとおりディスペンサーＸ１は、ケース本体１０が不透明な素材であっても載置部３１の突出によって束１の補充時期の確認が可能であるが、もちろん、ケース本体１０の全部又は一部を透明として視認可能としてもよい。このようにケース本体１０を透明にすれば、ケース本体内における束１の状況がより理解でき、束１の適切な補充時期を確認することができる。例えば、天板部１５と側板部１４，１４を透明にすると、ケース本体内１０における束１の状況が理解しやすくなる。但し、本実施形態のディスペンサーは、上記のとおり透明部分の有無に関わらず、意匠性を考慮して内部の束が見えない不透明な素材でケース本体を形成しても、載置部３１の突出状況によって補充時期を確認することができる利点がある。
【００３７】
他方、本形態のディスペンサーＸ１に係る台座部２０は、ケース本体１０を特に前板部１１の傾斜を維持した状態で所定高さに支持するとともに作業台等の任意の面に載置可能にするためのものである。その形状は、特に限定はされない。但し、本ディスペンサーＸ１では、露出するペーパータオルの一部を取出口１６の下方から掴む操作態様となるため、上記取出口１６の高さＬ４が台座部２０に設置した状態で９０〜１４０ｍｍの高さとなるようにケース本体１０を支持する形状とするのが望ましい。９０〜１４０ｍｍの高さがあれば、取出口の下方に手を挿入するだけの十分な空間が確保できる。
【００３８】
また、台座部２０は、図１、図４に示すようにケース本体１０と一体的な構造としてもよいし、別体であってもよい。例えば、図１０及び図１１に示すように、台座部２０が、下縁を設置部として平行に配置した二枚の台座側板２１，２１と、台座側板間を繋ぐ背面板２２と、ケース本体１０の底板部１２が載置される支持板２３とで構成されていると、ケース本体１０の前方側下部領域が広く開放されるようになり、ペーパータオルをつまみやすくなる。なお、ケース本体１０を台座部２０に固定するには、接着剤や既知の係止構造など適宜固定手段を採ることができる。また、このように前方側下部領域を解放した場合、ケース本体から突出する載置部によって、取出口１６から露出するペーパータオルを支持して持ち上げるようにすることができ、より摘みやすくするようにすることができる。
【００３９】
なお、台座部２０は、ディスペンサー全体の重心を低い位置にし、設置箇所に置いた際の安定性を高めるべく、ケース本体よりも質量を重くしてもよい。台座部２０の素材は特に限定されない。ケース本体の素材と同様に、アクリル樹脂、ユリア樹脂、ＡＢＳ樹脂、ポリプロピレン樹脂等の合成樹脂素材、ステンレス材やアルミ材等の金属素材、段ボール紙やコートボール紙等の紙素材、木材等適宜の素材を選択することができる。耐水性、成型性に優れる点では合成樹脂素材が適する。また、上記のとおり台座部２０はある程度の重量があるのが望ましいことから、金属素材等とするまたは錘となる金属を設置するようにしてもよい。なお、台座部２０の下面には、例えば、ゴム素材、磁石などからなる適宜の滑り止め機構や固定機構を設けてもよい。
【符号の説明】
【００４０】
Ｘ１…卓上型ペーパータオル用ディスペンサー、１…ペーパータオル束、１Ａ…ペーパータオル束の引出し側面、１Ｂ…折り返し縁が並ぶ面であって載置部に接する側の面、１Ｃ…折り返し縁が並ぶ面であって載置部に接しない側の面、１Ｄ…ペーパータオル束の引出し側面と反対面である背面側面、１０…ケース本体、１０Ａ…ケース本体の内部空間（又はケース本体内）、１１…前板部、１１Ａ…前板部内面（束の引出し側面が当接する面）、１１Ｂ…通孔、１２…底板部、１２Ａ…内底面（底板部内面）、１３…背板部，蓋部、１４，１４Ａ，１４Ｂ…側板部、１５…天板部、１５Ｘ…蓋部、１５Ａ…天板部内面、１６…取出口、１７…延出部、１７Ｒ…延出部の円弧面、１８…凹部欠損部、１９…ヒンジ部、２０…台座部、２１…台座側板、２２…背面板、２３…支持板、３０…押え材、３１…載置部、３１Ｅ…載置部の背板部側の縁、３２…押え部、Ｌ１…前板部の幅、Ｌ２…前板部の高さ方向長さ、Ｌ３…滑り止め部の範囲、Ｌ４…取出口の高さ、∠Ａ…前板部の傾斜角、∠Ｂ…載置面の傾斜角。
【図１】
2019058327.tif 000003
【図２】
2019058327.tif 000004
【図３】
2019058327.tif 000005
【図４】
2019058327.tif 000006
【図５】
2019058327.tif 000007
【図６】
2019058327.tif 000008
【図７】
2019058327.tif 000009
【図８】
2019058327.tif 000010
【図９】
2019058327.tif 000011
【図１０】
2019058327.tif 000012
【図１１】
2019058327.tif 000013
【図１２】
2019058327.tif 000014